(57)【要約】      （修正有）【課題】キャップ付紙容器の紙容器本体の側面の上端部近傍に外力が加わった場合でも、紙容器の側面を保護しキャップのシール強度が保持できるキャップ付紙容器の技術を提供する。【解決手段】キャップ付き紙容器１は矩形の頂面２と底面３と四側面（正面４ａ、裏面４ｂ、側面４ｃ、側面４ｄ）で外観が直方体に形成される紙容器本体１ａの頂面２にキャップ５を備える。紙容器本体１ａにはジュース等の内容液が充填され、飲用時にはキャップ５を開封して内容液を注出することができる。キャップ５はフランジ部６と注出部７とキャップ部８で構成され、フランジ部６と注出部７は一体形成される。フランジ部６は開口部Ｓを備える基部６ａと先端部６ｂとからなり、基部６ａが頂面２に固着される一方で先端部６ｂが矩形の頂面２の一辺２ａから正面部４ａに亘って角度θ＝９０度で折り込まれて固着される。【選択図】図１
2011102137.tif 000002
【特許請求の範囲】
【請求項１】
包材を折り曲げて形成される頂面と底面と複数の側面から成る紙容器本体に内容液を注出するキャップを備えるキャップ付き紙容器であって、
前記頂面は矩形形状で、前記キャップはフランジ部と注出部とキャップ部から成り、前記フランジ部が前記頂面に固着される一方で前記フランジ部の先端部が前記頂面の一辺で折り込まれて前記側面に固着されることを特徴とするキャップ付紙容器。
【請求項２】
請求項１に記載のキャップ付紙容器であって、前記フランジ部の先端部が折り込まれる側面が前記紙容器の正面であることを特徴とするキャップ付紙容器。
【請求項３】
請求項１又は請求項２に記載のキャップ付紙容器であって、前記キャップはスクリュー式キャップであることを特徴とするキャップ付紙容器。
【請求項４】
請求項１乃至請求項３のいずれか１項に記載のキャップ付紙容器であって、前記紙容器本体は、帯状包材を縦線シールで筒状にして内容液を充填し、一対の横線シールで密封且つ切断して連続的に原型容器を形成し、前記帯状包材に備える折り目線を介して前記原型容器の一対の前記横線シールの両端部を折り曲げて矩形の頂面と底面を形成すると同時に四側面又は八側面を形成して成ることを特徴とするキャップ付紙容器。
【発明の詳細な説明】
【技術分野】
【０００１】
本発明は液体を充填するキャップ付紙容器に関し、詳しくは、キャップの紙容器に対するシール強度を保持して内容液の漏れを防止するキャップ付紙容器に関する。
【背景技術】
【０００２】
従来、牛乳、清涼飲料等の液体食品を充填した紙容器本体にキャップを備えて成るキャップ付紙容器に関する従来技術として特許文献１に掲載の内容が知られている。このようなキャップ５１が、図８に示すように、外観直方体形状の六面体から成る紙容器５０の頂面５０ａに取付けられる。キャップ５１は注出部５１ａと連結するフランジ部５１ｂと、注出部５１ａに螺合するキャップ部５１ｃとで構成され、フランジ部５１ｂは開口部５１ｄを備えて頂面５０ａに取付けられる。このキャップ付紙容器５２であればスポーツや屋内外活動時等に手軽に持運びができて内容液５３を口に直接注いで飲用することができるので利便性に優れる。
【先行技術文献】
【特許文献】
【０００３】
【特許文献１】特開平５−３８７７２号公報
【発明の概要】
【発明が解決しようとする課題】
【０００４】
キャップ付紙容器５２が消費者に届くまでの流通過程で、図９に示すように、紙容器５０の側面５４の上端部５４ａ近傍に外力が加わり凹状に陥没してフランジ部５１ｂが捲れ上がり、稀に、キャップ５１のシール性が損なわれる。
【０００５】
本発明は、かかる従来技術に鑑みなされたものであって、紙容器の側面の上端部近傍に外力が加わった場合でも、紙容器の側面を保護しキャップのシール強度が保持できるキャップ付紙容器の技術を提供することを目的とする。
【課題を解決するための手段】
【０００６】
請求項１の発明は、包材を折り曲げて形成される頂面と底面と複数の側面から成る紙容器本体に内容液を注出するキャップを備えるキャップ付き紙容器であって、頂面は矩形形状に形成される。キャップはフランジ部と注出部とキャップ部から成り、フランジ部が頂面に固着される一方でフランジ部の先端部が頂面の一辺で折り込まれて側面に固着されることを特徴としている。
【０００７】
請求項２の発明は、請求項１に記載のキャップ付紙容器であって、フランジ部の先端部が折り込まれる側面が紙容器の正面であることを特徴としている。
【０００８】
請求項３の発明は、請求項１又は請求項２に記載のキャップ付紙容器であって、キャップはスクリュー式キャップであることを特徴としている。
【０００９】
請求項４の発明は、請求項１乃至請求項３のいずれか１項に記載のキャップ付紙容器であって、紙容器本体は、帯状包材を縦線シールで筒状にして内容液を充填し、一対の横線シールで密封且つ切断して連続的に原型容器を形成し、帯状包材に備える折り目線を介して原型容器の一対の横線シールの両端部を折り曲げて矩形の頂面と底面を形成すると同時に四側面又は八側面を形成して成ることを特徴としている。
【発明の効果】
【００１０】
請求項１の発明によれば、キャップはフランジ部と注出部とキャップ部から成り、フランジ部が頂面に固着される一方でフランジ部の先端部が頂面の一辺で折り込まれて側面に固着される。このため、フランジ部が頂面から頂面の一辺で折り込まれ側面に亘って連続的に固着されるので側面の上端部近傍の強度が補強され、外力が加わった場合でも紙容器の側面の上端部近傍及び頂面の一辺近傍の領域が凹状に陥没してフランジ部が捲れ上がることが防止できる。このため、キャップのシール強度が損なわれることもなく紙容器の品質性が向上する。
【００１１】
請求項２の発明によれば、フランジ部の先端部が折り込まれる側面が紙容器を消費者にアピールするために使用される正面である。このため、正面が保護できるので請求項１の効果とともに紙容器の商品価値を確実に保持することができる。
【００１２】
請求項３の発明によれば、キャップはスクリュー式キャップなので、スクリュー螺子部の螺合状態に影響を与えないのでキャップの開閉性が良好に保持できて請求項１又は請求項２の効果と同じ効果が確実に得られる。
【００１３】
請求項４の発明によれば、紙容器本体は、帯状包材を縦線シールで筒状にして内容液を充填し、一対の横線シールで密封且つ切断して連続的に原型容器を形成し、帯状包材に備える折り目線を介して原型容器の一対の横線シールの両端部を折り曲げることで、矩形の頂面と底面を形成すると同時に四側面又は八側面を形成して成る紙容器であり、請求項１乃至請求項３の効果と同じ効果が確実に得られる。
【図面の簡単な説明】
【００１４】
【図１】本発明の第一の実施形態における、外観が直方体形状の紙容器本体１ａの頂面２に備えるスクリューキャップ５のフランジ部６が頂面２から正面４ａに亘って固着された状態を示すキャップ付紙容器１の斜視図である。
【図２】本発明の第一の実施形態における、図１のＡ−Ａ断面図で紙容器本体１ａに固着されたスクリューキャップ５の構成を示す図である。
【図３】本発明の第一の実施形態における、紙容器本体１ａを形成する帯状包材１１の平面図である。
【図４】本発明の第一の実施形態における、図３のＢ−Ｂ断面図で開口予定部Ｋの状態を示す断面図である。
【図５】本発明の第一の実施形態における、スクリューキャップ５を頂面２に固着する工程で、（ａ）はフランジ部６の裏面をマイクロフレームＦで溶融する状態、（ｂ）はフランジ部６の基部６ａを頂面２に固着する状態、（ｃ）はフランジ部６の先端部６ｂを正面４ａに固着する状態を示す斜視図である。
【図６】本発明の第一の実施形態における、スクリューキャップ５のキャップ部８を開栓するように左回転すると、スライダー９が連動して下降し開口予定部Ｋを開口した状態を示す断面図である。
【図７】本発明の第二の実施形態における、紙容器本体１ａが頂面２と底面３と矩形の八側面４ａ、４ｂ、４ｃ・・で形成され、頂面２に備えるスクリューキャップ５のフランジ部６が頂面２から正面２０に亘って固着される状態を示すキャップ付紙容器１の斜視図である。
【図８】従来例における、キャップ付紙容器５２の頂面５０ａにスクリューキャップ５１のフランジ部５１ｂが固着された状態を示す斜視図である。
【図９】従来例における、側面５４の上端部近傍５４ａが外力で凹状に陥没してフランジ部５１ｂが捲れ上がった状態を示すキャップ付紙容器５２の斜視図である。
【発明を実施するための形態】
【００１５】
＜本発明の実施形態＞
以下に、本発明の第一の実施形態を図１〜図６に基づいて説明する。
＜キャップ付紙容器の構成＞
【００１６】
図１、図２に示すように、キャップ付き紙容器１は矩形の頂面２と底面３と四側面（正面４ａ、裏面４ｂ、側面４ｃ、側面４ｄ）で外観が直方体形状に形成された紙容器本体１ａの頂面２にキャップ５を備える。紙容器本体１ａにはジュース等の内容液が充填され、飲用時にはキャップ５を開封して内容液を注出することができる。
【００１７】
キャップ５はフランジ部６と注出部７とキャップ部８で構成され、フランジ部６は円筒形状の注出部７と一体形成される。フランジ部６は円形の開口部Ｓを備える基部６ａと先端部６ｂからなり、基部６ａが頂面２に固着される一方で先端部６ｂが頂面２の一辺２ａから正面部４ａに亘って角度θ＝９０度で折り込まれて固着される。なお、注出部７は開口部Ｓと同じ内径で連通する。キャップ部８は注出部７とスクリューで螺合される。
【００１８】
より詳しくは、キャップ５は紙容器本体１ａの開口予定部Ｋを開口するためのインサート部９を備え、インサート部９は円筒形状のインサート本体９ａと注出口Ｔを備える六角形状のインサート頭部９ｂとから成り、インサート頭部９ｂはキャップ部８の内底部８ａに形成された六角形溝８ｂに上下スライド自在に収納される。注出部７の外周面に第一雄螺子７ａが形成され、キャップ部８の内周面に形成される第一雌螺子８ｂと螺合する。さらに、注出部７の内周面に第二雄螺子７ｂが形成され、第二雄螺子７ｂがインサート本体９ａの外周面に形成される第二雌螺子９ｃと螺合する。ここで第一雄螺子７ａは右螺子で第二雄螺子７ｂは左螺子で、第二雄螺子７ｂは第一雄螺子７ａより大きなピッチで形成される。なお、フランジ部６、注出部７、キャップ部８、インサート部９は各々樹脂成形される。
【００１９】
「キャップ付き紙容器１の製造工程の説明」
図３、図４に示すように、紙容器本体１ａを形成する帯状の包材１１には紙容器本体１ａを成型容易とするための複数の折り目が形成され、紙容器一個分に該当する領域Ｐにおいて、縦方向の折り目ｍ１１、ｍ１２、ｍ１３、ｍ１４、横方向の折り目ｍ１、ｍ２、ｍ３、ｍ４、及び斜め方向の複数の折り目ｍ５、ｍ６が形成される。紙容器本体１ａの正面４ａに該当する頂面２の領域に内容液を注ぐための開口予定部Ｋが形成される。
【００２０】
包材１１の構成は、外側から内側にかけて順に、外側層１１ａ、紙基材１１ｂ、接着層１１ｃ、バリヤー層１１ｄ、二層の内側層１１ｅから成る。紙基材１１ｂの外側面に予めデザイン等１１ｆが印刷される。外側層１１ａ、内側層１１ｅは低密度ポリエチレン樹脂、接着層１１ｃはポリエチレン、エチレン共重合体等の樹脂、バリヤー層１１ｄはアルミ箔等でそれぞれ形成される。開口予定部Ｋは開口容易とするために紙基材１ｂが円形状に切り抜かれる以外はその他の構成と同じである。
【００２１】
図示しない充填機において、帯状包材１１を下方に搬送しながら両端部Ｑ１、Ｑ２を重ねて筒状に縦線シールして内容液を充填した後に、横線シールして紙容器一個分に該当する領域Ｐを切離して原型容器を形成し、縦方向の折り目ｍ１１、ｍ１２、ｍ１３、ｍ１４、横方向の折り目ｍ１、ｍ２、ｍ３、ｍ４、及び斜め方向の複数の折り目ｍ５、ｍ６を折り曲げて、矩形の頂面２、底面３と四側面から成る外観直方体形状の紙容器本体１ａが形成される。
【００２２】
次に、紙容器本体１ａの頂面２に図示しない装置でキャップ５を取付ける。まず、図５（ａ）に示すように、フランジ部６の裏面において開口部Ｓに対応する領域Ｓ１を除く領域をマイクロフレームＦで溶融する。次に、図５（ｂ）に示すように、開口部Ｓを頂面２の開口予定部Ｋに位置合わせして、フランジ部６の基部６ａを頂面２に固着する。そして、図５（ｃ）に示すように、フランジ部６の先端部６ｂを折り曲げて正面４ａに固着する。ここで、好ましくは、先端部６ｂを予め水平より若干下方に折れ曲げ形成しておくと、先端部６ｂを正面４ａに折り曲げて固着する作用が容易且つ確実に実施できる。
【００２３】
＜キャップ付紙容器の作用＞
上記、紙容器本体１ａの頂面２に取付けられるスクリューキャップ５はフランジ部６と注出部７とキャップ部８から成り、フランジ部６は頂面２に固着される一方でフランジ部６の先端部６ｂが頂面２の一辺２ａで折込まれて正面部４ａに固着される。このため、キャップ付紙容器１が流通過程で正面４ａの上端部近傍に外力を受けることがあっても、先端部６ｂによって保護できる。このため、正面４ａの上端部近傍から頂面２に亘る領域の損傷が回避できるので商品価値を損なうことがない。また、フランジ部６自身の損傷や捲れ上がりが防止できるので内容液の漏れを防止する効果が得られる。さらに、スクリューキャップ５の作動や性能に影響を及ぼすこともなくなる。
【００２４】
図６に示すように、上記、第一雄螺子７ａは右螺子、第二雄螺子７ｂは左螺子で、第二雄螺子７ｂは第一雄螺子７ａより大きなピッチで形成される。このため、キャップ部８を左回りに回転すると、キャップ部８が上昇すると同時にインサート９がキャップ部８の上昇スピードより早く下降する。その結果キャップ部８が注出部７から外れる前に、インサート部９が確実に開口予定部Ｋを破断する事が出来る。キャップ部８が外れた後は、インサート頂部９ｂに唇をあてがって内容液を飲用することが出来る。
＜本発明の第二の実施形態＞
【００２５】
本発明の第二の実施形態を図７に基づいて説明するが、図１と同様の構成に関しては同符号を用いて重複する説明を省く。
【００２６】
図７に示すように、紙容器本体１ａは頂面２と底面３が矩形形状で、側面は合計八面で形成され、各側面は矩形２０ａ、２０ｂ、２０ｃ・・・の上下部にそれぞれ台形２１と三角形２２を交互に備える。台形２１は頂面２の１辺２ａを下底とし下方に向けて上底２１ａが狭幅に形成され、この台形２１は水平視で上底２１ａが下底としての１辺２ａより少し張出すように傾斜している。このため、フランジ部６の基部６ａと先端部６ｂの角度αは鈍角であるが、本発明の第一の実施形態の作用と同様の効果が得られる。
【００２７】
以上、本発明の実施例を図面に基づいて説明したが、具体的な構成はこの実施例に限られるものではなく本発明の要旨を逸脱しない範囲の設計変更等があっても本発明に含まれる。例えば、キャップ５の構成は他の様々な構成のキャップに対しても適用できる。キャップ５が紙容器本体１ａの頂面２が水平ではなく傾斜する場合にも適用することもできる。キャップ５はスクリューを備えない構成でもよく、圧入着脱で開閉する構成のキャップに開口用のプルタブを内蔵する構成でも構わない。フランジ部６の先端部６ｂを紙容器の正面以外の面に適用することもできる。６角柱状の紙容器等々色んな形状の紙容器に対して実施できる。なお、開口予定部５３は紙基材を切除せずに紙基材にミシン目を形成して切断し易くしてもよい。紙容器本体１ａにバリヤー層１１ｄを備えない包材を適用することもできる。
【産業上の利用可能性】
【００２８】
この発明は、液体食品などを包装充填する包装容器の製造に適用することができる。
【符号の説明】
【００２９】
１  キャップ付き紙容器
１ａ  紙容器本体
２  頂面
２ａ  辺
３  底面
４  側面
４ａ  正面
４ｂ  裏面
４ｃ  側面
４ｄ  側面
５  キャップ
６  フランジ部
６ａ  基部
６ｂ  先端部
７  注出部
８  キャップ部
Ｓ  開口部
θ  角度
【図１】
2011102137.tif 000003
【図２】
2011102137.tif 000004
【図３】
2011102137.tif 000005
【図４】
2011102137.tif 000006
【図５】
2011102137.tif 000007
【図６】
2011102137.tif 000008
【図７】
2011102137.tif 000009
【図８】
2011102137.tif 000010
【図９】
2011102137.tif 000011